(57)【特許請求の範囲】
【請求項１】
壁面材を有してなる屋根裏界壁と、
前記壁面材を貫通して設けられ、溝部を有する形鋼からなる長尺材とを備え、
前記壁面材には、前記長尺材が挿通される孔部が形成され、
前記長尺材が前記孔部に挿通される挿通部位には、繊維系断熱材により形成され前記長尺材の溝部を塞ぐ第１不燃材が設けられ、かつ、前記長尺材の外周面と前記孔部の内周面との隙間を塞ぐ第２不燃材が設けられていることを特徴とする屋根裏界壁の耐火構造。
【請求項２】
前記第２不燃材は、前記隙間に充填された不定形シールよりなることを特徴とする請求項１に記載の屋根裏界壁の耐火構造。
【請求項３】
前記長尺材は、前記壁面材を斜めに貫通する斜め材であることを特徴とする請求項２に記載の屋根裏界壁の耐火構造。
【請求項４】
建物本体上には複数の束が立設され、その束により支持された状態で屋根パネルが複数並設されて屋根が構成される建物に適用され、
前記屋根裏界壁は、対向して設けられる複数の前記壁面材を有し、
前記複数の束のうち一部の束は前記対向する各壁面材の間に配設され、その束と前記屋根裏界壁の外に配設された他の束とが前記壁面材を貫通する前記長尺材を介して連結され、その長尺材の前記挿通部位に前記各不燃材が設けられていることを特徴とする請求項１乃至３のいずれか一項に記載の屋根裏界壁の耐火構造。
【請求項５】
前記第１不燃材は、前記溝部の開放側で前記孔部の内周面に密着した状態で設けられていることを特徴とする請求項１乃至４のいずれか一項に記載の屋根裏界壁の耐火構造。
【請求項６】
前記長尺材は、上下に延びるウェブとその上下両端部に設けられた上フランジ及び下フランジとを有し、前記ウェブを挟んだ両側にそれぞれ前記溝部が設けられたＨ形鋼よりなり、
前記第１不燃材は、前記長尺材の各溝部にそれぞれ設けられ、それら第１不燃材はいずれも溝部開放側で前記孔部の内周面に密着しており、
前記第２不燃材は、前記上フランジと前記孔部の内周面との隙間、及び前記下フランジと前記孔部の内周面との隙間にそれぞれ設けられていることを特徴とする請求項５に記載の屋根裏界壁の耐火構造。
【発明の詳細な説明】
【技術分野】
【０００１】
本発明は、屋根裏界壁の耐火構造に関する。
【背景技術】
【０００２】
複数の住戸を有するアパート等の集合住宅では、隣り合う住戸の間に界壁が設けられる。界壁は、住戸間の延焼を抑制する耐火性能や、住戸間の音漏れを抑制する防音性能などを確保するためのものであり、居室空間だけでなく屋根裏空間にも設けられる。屋根裏空間に界壁が設けられる場合、界壁（以下、屋根裏界壁という）は例えば下地フレームを挟んだ両側に耐火性能を有する石膏ボードが貼り付けられることで構築される。
【０００３】
ところで、建物における屋根構造として、柱や梁等を組み付けて構築される建物本体上に複数の束を立設し、それら各束により複数の屋根パネルを支持することで屋根を形成する屋根構造が知られている。かかる屋根構造では、束の補強を図る等の目的で、隣り合う束同士が雲筋交いやつなぎ材等の長尺材を介して互いに連結されることがある。これらの長尺材は、例えば溝形鋼により形成される。
【先行技術文献】
【特許文献】
【０００４】
【特許文献１】特開２０１３−２２１２９５号公報
【発明の概要】
【発明が解決しようとする課題】
【０００５】
ここで、集合住宅の屋根構造として、屋根パネルを複数の束により支持する上述の屋根構造が適用される場合、一部の束が屋根裏界壁の内部に配設されることが想定される。つまり、一部の束が屋根裏界壁において対向する石膏ボードの間に配設されることが想定される。
【０００６】
しかしながら、その場合、隣り合う束同士を連結する雲筋交い等の長尺材が石膏ボードを貫通して設けられることになるため、その貫通部分において耐火性能を確保することができなくなるおそれがある。
【０００７】
本発明は、上記事情に鑑みてなされたものであり、耐火性能を好適に確保することができる屋根裏界壁の耐火構造を提供することを主たる目的とするものである。
【課題を解決するための手段】
【０００８】
上記課題を解決すべく、第１の発明の屋根裏界壁の耐火構造は、壁面材を有してなる屋根裏界壁と、前記壁面材を貫通して設けられ、溝部を有する形鋼からなる長尺材とを備え、前記壁面材には、前記長尺材が挿通される孔部が形成され、前記長尺材が前記孔部に挿通される挿通部位には、前記長尺材の溝部を塞ぐ第１不燃材が設けられ、かつ、前記長尺材の外周面と前記孔部の内周面との隙間を塞ぐ第２不燃材が設けられていることを特徴とする。
【０００９】
本発明によれば、屋根裏界壁の壁面材に形成された孔部に溝部を有する形鋼からなる長尺材が挿通され、その長尺材が孔部に挿通される部位（挿通部位）に不燃材が配設されている。この場合、不燃材としては、長尺材の溝部を塞ぐ第１不燃材と、長尺材の外周面と孔部の内周面との隙間を塞ぐ第２不燃材とが配設されており、それらの不燃材により長尺材の内外の空間が共に塞がれている。このため、溝部を有する長尺材が壁面材を貫通する構成にあっても、耐火性能を好適に確保することができる。
【００１０】
第２の発明の屋根裏界壁の耐火構造は、第１の発明において、前記第２不燃材は、前記隙間に充填された不定形シールよりなることを特徴とする。
【００１１】
本発明によれば、第２不燃材が不定形シールよりなるため、長尺材の外周面と孔部の内周面との隙間を埋めるにあたってその作業をし易くすることができる。また、上記隙間の大きさは、孔部の加工精度等によりばらつくことが想定されるが、その場合にも、第２不燃材として不定形シールを用いれば隙間を確実に埋めることができ、耐火性能を確保できる。
【００１２】
第３の発明の屋根裏界壁の耐火構造は、第２の発明において、前記長尺材は、前記壁面材を斜めに貫通する斜め材であることを特徴とする。
【００１３】
長尺材が壁面材を斜めに貫通する場合、長尺材が孔部において斜めに挿通されることになるため、長尺材の外周面と孔部の内周面との隙間の大きさが壁面材の厚み方向に変化することになる。このため、例えば第２不燃材としてシート状の不燃材を用いた場合、隙間を上手く塞ぐことができないおそれがある。その点本発明では、かかる構成に、上記第２の発明、すなわち第２不燃材として不定形シールを用いる構成を適用しているため、かかる構成にあっても隙間を好適に塞ぐことができる。
【００１４】
第４の発明の屋根裏界壁の耐火構造は、第１乃至第３のいずれかの発明において、建物本体上には複数の束が立設され、その束により支持された状態で屋根パネルが複数並設されて屋根が構成される建物に適用され、前記屋根裏界壁は、対向して設けられる複数の前記壁面材を有し、前記複数の束のうち一部の束は前記対向する各壁面材の間に配設され、その束と前記屋根裏界壁の外に配設された他の束とが前記壁面材を貫通する前記長尺材を介して連結され、その長尺材の前記挿通部位に前記各不燃材が設けられていることを特徴とする。
【００１５】
建物本体上に複数の束を立設し、それら束により屋根パネルを支持する構成では、束の一部が屋根裏界壁の内部、つまり対向する各壁面材の間に配設されることが想定される。また、かかる束は、屋根裏界壁の外に立設された束と筋交い等の長尺材を介して連結されることも想定され、その場合、その長尺材は壁面材を貫通した状態で設けられることになる。そこで本発明では、かかる構成に上記第１の発明を適用している。この場合、束同士を連結する長尺材が壁面材を貫通して設けられる構成にあっても、その貫通部分において耐火性能を確保することができる。
【００１６】
第５の発明の屋根裏界壁の耐火構造は、第１乃至第４のいずれかの発明において、前記第１不燃材は、前記溝部の開放側で前記孔部の内周面に密着した状態で設けられていることを特徴とする。
【００１７】
本発明によれば、長尺材の溝部に配設された第１不燃材が溝部の開放側で孔部の内周面と密着しているため、溝部の開放側において第１不燃材と孔部の内周面との間に別途不燃材（例えば第２不燃材）を介在させなくても済む。そのため、孔部を不燃材で埋める作業を容易とすることが可能となる。
【００１８】
第６の発明の屋根裏界壁の耐火構造は、第５の発明において、前記長尺材は、上下に延びるウェブとその上下両端部に設けられた上フランジ及び下フランジとを有し、前記ウェブを挟んだ両側にそれぞれ前記溝部が設けられたＨ形鋼よりなり、前記第１不燃材は、前記長尺材の各溝部にそれぞれ設けられ、それら第１不燃材はいずれも溝部開放側で前記孔部の内周面に密着しており、前記第２不燃材は、前記上フランジと前記孔部の内周面との隙間、及び前記下フランジと前記孔部の内周面との隙間にそれぞれ設けられていることを特徴とする。
【００１９】
本発明によれば、Ｈ形鋼からなる長尺材が壁面材を貫通して設けられる構成にあって、長尺材の各溝部にそれぞれ第１不燃材が孔部の内周面に密着した状態で配設されている。この場合、各溝部の開放側ではいずれも別途不燃材（例えば第２不燃材）を設ける必要がないため、長尺材の外周側においては、第２不燃材を長尺材の上フランジと孔部の内周面との隙間、及び下フランジと孔部の内周面との隙間にそれぞれ配設するだけで済む。そのため、長尺材がＨ形鋼からなる構成にあって、孔部を不燃材で埋める作業を大いに容易にすることが可能となる。
【図面の簡単な説明】
【００２０】
【図１】建物全体の概略を示す概略図。
【図２】二階部分の構成を示す概略横断面図。
【図３】屋根部の内部構成を示す概略横断面図。
【図４】屋根部を示す平面図。
【図５】屋根部を示す正面図。
【図６】屋根パネルの平面図。
【図７】屋根裏界壁周辺の構成を示す縦断面図。
【図８】屋根裏界壁を示す横断面図。
【図９】筋交いが石膏ボードを貫通する貫通部分を示す縦断面図。
【図１０】上梁が石膏ボードを貫通する貫通部分を示す縦断面図。
【発明を実施するための形態】
【００２１】
以下に、本発明を具体化した一実施の形態について図面を参照しつつ説明する。本実施形態では、建物として複数の住戸を有するアパート等の集合住宅を想定している。また、本実施形態では、建物を枠組壁工法により構築されたスチールハウスとして具体化している。なお、図１は、建物全体の概略を示す概略図である。
【００２２】
図１に示すように、建物１０は、基礎１１上に配設された建物本体１２と、建物本体１２の上方に配設された屋根部１３とを備える。建物本体１２は、一階部分１４と二階部分１５とを有する二階建てとなっている。一階部分１４には、複数（具体的には２つ）の住戸１６（以下、一階住戸１６という）が横並びで設けられ、二階部分１５にも同様に、複数（具体的には２つ）の住戸１７（以下、二階住戸１７という）が横並びで設けられている。
【００２３】
隣り合う一階住戸１６の間には界壁１８（以下、一階界壁１８という）が設けられている。この一階界壁１８により隣り合う一階住戸１６同士が互いに仕切られている。また、隣り合う二階住戸１７の間にも界壁１９（以下、二階界壁１９という）が設けられている。この二階界壁１９により隣り合う二階住戸１７同士が互いに仕切られている。この場合、これらの界壁１８，１９により、隣り合う一階住戸１６間及び隣り合う二階住戸１７間における耐火性能や防音性能が確保されている。
【００２４】
二階住戸１７は、住戸内空間として、建物本体１２（二階部分１５）に形成された居住空間２１と、屋根部１３に形成された屋根裏空間２２とを備える。居住空間２１と屋根裏空間２２とは上下に隣接して設けられ、天井面材２３（図３や図７等参照）により互いに仕切られている。
【００２５】
二階界壁１９は、二階部分１５と屋根部１３とに跨がって上下に延びており、二階部分１５に設けられた居住界壁２４と、屋根部１３に設けられた屋根裏界壁２５とを備える。この場合、居住界壁２４により隣り合う二階住戸１７の居住空間２１同士が仕切られており、屋根裏界壁２５により隣り合う二階住戸１７の屋根裏空間２２同士が仕切られている。したがって、二階住戸１７においては、隣り合う居住空間２１の間だけでなく、隣り合う屋根裏空間２２の間においても耐火性能や防音性能が確保されている。
【００２６】
続いて、二階部分１５及び屋根部１３の内部構成について説明する。図２は、二階部分１５の構成を示す概略横断面図である。図３は、屋根部１３の内部構成を示す概略横断面図である。なお、図２は図１のＡ−Ａ線断面図に相当し、図３は図１のＢ−Ｂ線断面図に相当する。
【００２７】
図２に示すように、二階部分１５には、各二階住戸１７の居住空間２１が設けられているとともに、各二階住戸１７（居住空間２１）に通じる共用廊下２７が設けられている。共用廊下２７は、階段２８により一階部分１４と連絡されている。階段２８は階段室２９に設けられ、その階段室２９は一階部分１４と二階部分１５とに跨がる吹き抜け空間となっている。二階部分１５では、この階段室２９（の二階部分）と共用廊下２７とを含んで共用空間部３１が形成されている。
【００２８】
共用空間部３１は、各二階住戸１７（居住空間２１）の間に形成され、各二階住戸１７の居住空間２１と仕切壁３３により仕切られている。仕切壁３３には、共用廊下２７から二階住戸１７へ出入りするための玄関口３５が形成されている。玄関口３５には玄関ドア３６が設けられている。また、仕切壁３３は、居住界壁２４と連続させて設けられている。
【００２９】
図３に示すように、屋根部１３には、各二階住戸１７の屋根裏空間２２が設けられているとともに、共用空間部３１の上方にも屋根裏空間３８が設けられている。屋根裏空間３８は、各屋根裏空間２２の間に形成され、それら各屋根裏空間２２と屋根裏隔壁３９により仕切られている。屋根裏隔壁３９は、屋根裏界壁２５と同様の耐火性能及び防音性能を有しており、屋根裏界壁２５と連続させて設けられている。
【００３０】
次に、屋根部１３について説明する。図４は屋根部１３を示す平面図である。図５は屋根部１３を示す正面図である。図６は屋根パネル４３の平面図である。
【００３１】
図４及び図５に示すように、屋根部１３は、切妻式の屋根として構成され、棟１３ａを挟んだ両側に一対の傾斜屋根部４２を有している。屋根部１３は、複数の屋根パネル４３を有して構成されている。屋根パネル４３は、長方形状に形成され、各傾斜屋根部４２において横並びで（棟４１の延びる方向に）複数ずつ設けられている。この場合、各屋根パネル４３は傾斜屋根部４２の傾斜に沿って配設されている。
【００３２】
図６に示すように、屋根パネル４３は、野地板４４と、野地板４４との裏面に固定された下地フレーム４５とを備える。野地板４４は矩形板状に形成され、例えばパーティクルボードからなる。下地フレーム４５は、一対の垂木フレーム材４６と棟フレーム材４７と軒先フレーム材４８とを有する。これら各フレーム材４６〜４８は矩形枠状に組み合わせられている。また、各垂木フレーム材４６には、複数の母屋フレーム材４９が架け渡されている。
【００３３】
屋根パネル４３は、棟１３ａから軒先１３ｂに向けて傾斜した状態で設置されている。屋根パネル４３の設置状態では、垂木フレーム材４６が屋根部１３（傾斜屋根部４２）の傾斜に沿って配置され、棟フレーム材４７が棟１３ａに沿って配置され、軒先フレーム材４８が軒先１３ｂに沿って配置されている。
【００３４】
各屋根パネル４３は、建物本体１２上に設けられた束５１により支持されている。図４では、束５１の設置位置が丸印で示されている。束５１は、建物本体１２上において複数箇所に設けられている。束５１は、隣接する各屋根パネル４３の境界部ごとに設けられ、それら隣接する各屋根パネル４３を共通に支持している。
【００３５】
次に、屋根裏界壁２５周辺の構成について説明する。図７は、屋根裏界壁２５周辺の構成を示す縦断面図であり、図３のＣ−Ｃ線断面図に相当する。図８は、屋根裏界壁２５を示す横断面図であり、図７のＤ−Ｄ線断面図に相当する。
【００３６】
図７に示すように、建物本体１２の上端部には、複数の上梁５３が設けられている。上梁５３はＨ形鋼よりなり、ウェブ５３ａを上下に向けた状態で配設されている。上梁５３には、二階界壁１９の内部に配設され当該界壁１９の幅方向に延びる上梁５３（以下、この符号にＡを付す）と、その上梁５３Ａに対し直交する方向に延びる上梁５３（以下、この符号にＢを付す）とがある。これらの上梁５３Ａ，５３Ｂは互いの交差部において連結金具等を介して連結されている。
【００３７】
上梁５３Ｂの下面には、野縁５５や野縁受け５６等の天井下地材が設けられ、その天井下地材には天井面材２３が固定されている。天井面材２３は石膏ボードよりなり、その下面には天井クロス等の天井仕上げ材（図示略）が貼り付けられている。その天井仕上げ材により居住空間２１の天井面が形成されている。
【００３８】
屋根裏界壁２５は、図７及び図８に示すように、上梁５３Ａの上に配設された界壁フレーム６１と、界壁フレーム６１を挟んで両側に設けられた石膏ボード６２，６３とを備える。界壁フレーム６１は、上梁５３Ａに沿って配設され、上下一対のランナ６５と、それら各ランナ６５同士を上下に連結する複数のスタッド６６とを有する。各ランナ６５はいずれも溝形鋼からなり、互いの溝部を向き合わせて配設されている。上側のランナ６５（図示略）は屋根部１３の傾斜に沿って延びており、下側のランナ６５は上梁５３Ａ上にて水平方向に延びている。下側のランナ６５は、上梁５３Ａ上に固定部材等を介して固定されている。また、スタッド６６は角形鋼よりなり、上下の各ランナ６５間において所定の間隔で複数配置されている。
【００３９】
石膏ボード６２と石膏ボード６３とはいずれも二枚重ねされて設けられている。これらの石膏ボード６２，６３はいずれも優れた耐火性能を有しており、横並びに複数設けられている。また、各石膏ボード６２，６３はいずれもビス等により界壁フレーム６１に固定されている。なお、これらの石膏ボード６２，６３が壁面材に相当する。また、各石膏ボード６２，６３の間にはグラスウール６８が配設されている。
【００４０】
屋根裏界壁２５の内部、すなわち各石膏ボード６２，６３の間には束５１が配設されている。束５１は、上梁５３Ａの上に所定の間隔で複数立設されている。束５１は、上梁５３Ａ上に固定されたベース部７１と、ベース部７１から上方に延びる束本体７２と、束本体７２の上端部に固定されたパネル支持部７３とを有する。ベース部７１は、短尺のＨ形鋼よりなり、ボルト７５及びナット７６により上梁５３Ａの上面に固定されている。束本体７２は溝形鋼よりなり、その下端部がベース部７１に溶接固定されている。
【００４１】
パネル支持部７３は、鋼板が折り曲げられることで形成され、束本体７２の側面に溶接固定された固定板部７３ａと、屋根パネル４３を支持する支持板部７３ｂとを有する。支持板部７３ｂは、屋根部１３（傾斜屋根部４２）の傾斜に沿って延びており、その支持板部７３ｂ上には隣接する２つの屋根パネル４３が載置されている。この場合、それらの屋根パネル４３において互いに隣接する各垂木フレーム材４６がそれぞれ支持板部７３ｂの上に載置され当該支持板部７３ｂに固定されている。
【００４２】
屋根裏界壁２５の内部に配置された上記の束５１（以下、この符号にＡを付す）は、屋根裏界壁２５の外部に配置された束５１（以下、この符号にＢを付す）と隣り合って設けられている（図４も参照）。この場合、これら各束５１Ａ，５１Ｂは屋根裏界壁２５と直交する方向（換言すると屋根裏界壁２５の厚み方向）に隣り合っており、筋交い８１（雲筋交い）を介して互いに連結されている。筋交い８１は、隣り合う束５１Ａ，５１Ｂ同士を斜めに連結する斜め材であり、リップ付きの溝形鋼よりなる。筋交い８１は、束５１Ａ（束本体７２）の上端部と束５１Ｂ（束本体７２）の下端部とを斜めに連結しており、その上端部が束本体７２の側面にボルト８２で固定されている。この場合、筋交い８１は、石膏ボード６２を貫通した状態で設けられている。なお、筋交い８１が長尺材に相当する。
【００４３】
隣り合う各束５１Ａ，５１Ｂは、つなぎ材８４（頭つなぎ）を介して互いに連結されている。つなぎ材８４は、隣り合う束５１Ａ，５１Ｂの上端部同士を連結しており、溝形鋼よりなる。束５１Ａ（束本体７２）の上端部には連結プレート８５が固定されている。連結プレート８５は石膏ボード６２を貫通して石膏ボード６２よりも屋根裏空間２２側に延出している。そして、その連結プレート８５の延出部分につなぎ材８４がボルト８９により固定されている。
【００４４】
なお、束５１Ａは上記の束５１Ｂとは反対側で別の束５１と隣り合っているが、これら隣り合う束５１，５１Ａ同士も、上記同様の構成でつなぎ材８４を介して連結されている。
【００４５】
ここで、上述したように、屋根裏界壁２５では、筋交い８１が石膏ボード６２を貫通して設けられているため、その貫通部分において耐火性能を確保することができないおそれがある。そこで、本実施形態では、この貫通部分に対して特徴的な耐火構造を設けている。以下、この耐火構造について説明する。図９は、筋交い８１が石膏ボード６２を貫通する貫通部分を示す縦断面図である。
【００４６】
図９に示すように、石膏ボード６２には、厚み方向に貫通する孔部８６が形成されている。孔部８６は、筋交い８１の断面の大きさ及び形状に合わせた矩形形状に形成されている。孔部８６は、隣接する石膏ボード６２の境界部に形成されている。詳しくは、それら隣接する各石膏ボード６２の一方には、他方の石膏ボード６２に向けて開放された矩形の切り欠きが形成されており、その切り欠きによって上記孔部８６が形成されている。
【００４７】
孔部８６には、筋交い８１が挿通されている。筋交い８１は、上述したようにリップ付き溝形鋼からなり、溝部８７を有する。筋交い８１は、上下に延びるウェブ８１ａと、ウェブ８１ａの上下両端部に設けられた上フランジ８１ｂ及び下フランジ８１ｃと、各フランジ８１ｂ，８１ｃにそれぞれ設けられた上リップ８１ｄ及び下リップ８１ｅとを有する。
【００４８】
筋交い８１が孔部８６に挿通されている挿通部位Ｋには、筋交い８１の溝部８７に第１不燃材８８が配設されている。第１不燃材８８は、繊維系断熱材としてのグラスウールにより形成されている。第１不燃材８８は、溝部８７を埋めるように配設され、詳しくは溝部８７全域を埋めるように配設されている。これにより、挿通部位Ｋでは、溝部８７が第１不燃材８８により塞がれている。
【００４９】
また、上記挿通部位Ｋには、筋交い８１の外周面と孔部８６の内周面との間の隙間９１に第２不燃材９２が設けられている。第２不燃材９２は不燃性を有する不定形シールよりなり、上記隙間９１の全域に充填されている。詳しくは、第２不燃材９２は、筋交い８１のウェブ８１ａ，各フランジ８１ｂ，８１ｃ及び各リップ８１ｄ，８１ｅの外側面と孔部８６の内周面との隙間９１全域に充填されている。これにより、挿通部位Ｋでは、上記隙間９１が第２不燃材９２により塞がれている。
【００５０】
また、第２不燃材９２は、筋交い８１における溝部８７の開口側で第１不燃材８８と孔部８６の内周面との隙間９３にさらに充填されている。この場合、第２不燃材９２は、筋交い８１と第１不燃材８８とをまとめて囲むように充填されていることになる。
【００５１】
このように、挿通部位Ｋでは、孔部８６における筋交い８１の内外全域（換言すると筋交い８１の存在していない領域全体）が第１不燃材８８及び第２不燃材９２により塞がれた状態となっている。
【００５２】
ここで、図７の説明に戻って、本屋根裏界壁２５では、上述した筋交い８１だけでなく、上梁５３Ｂも石膏ボード６２を貫通した状態で設けられている。この場合、上梁５３Ｂは石膏ボード６２を貫通して屋根裏界壁２５内部の上梁５３Ａと連結されている。そこで、本実施形態では、この上梁５３Ｂが石膏ボード６２を貫通する貫通部分に対しても上記同様の耐火構造を設けており、以下においてはこの耐火構造について説明する。なお、図１０は、上梁５３Ｂが石膏ボード６２を貫通する貫通部分を示す縦断面図である。
【００５３】
図１０に示すように、石膏ボード６２には、厚み方向に貫通する孔部９６が形成されている。孔部９６は、上梁５３Ｂの断面の大きさ及び形状に合わせた矩形形状に形成されている。孔部９６は、上記の孔部８６と同様、隣接する石膏ボード６２の一方に形成された矩形の切り欠きにより形成されている。
【００５４】
孔部９６には、上梁５３Ｂが挿通されている。上梁５３Ｂは、上述したようにＨ形鋼よりなり、上下に延びるウェブ５３ａと、ウェブ５３ａの上下両端部に設けられた上フランジ５３ｂ及び下フランジ５３ｃとを有する。上梁５３Ｂは、ウェブ５３ａを挟んだ両側にそれぞれ溝部９７，９８を有する。なお、上梁５３Ｂが長尺材に相当する。
【００５５】
上梁５３Ｂが孔部９６に挿通されている挿通部位Ｌには、上梁５３Ｂの各溝部９７，９８にそれぞれ第１不燃材１０１，１０２が配設されている。これら各第１不燃材１０１，１０２はいずれも繊維系断熱材としてのグラスウールにより形成されている。第１不燃材１０１は溝部９７を埋めるように配設され、詳しくは溝部９７全域を埋めるように配設されている。また、第１不燃材１０２は溝部９８を埋めるように配設され、詳しくは溝部９８全域を埋めるように配設されている。これにより、挿通部位Ｌでは、これら第１不燃材１０１，１０２により各溝部９７，９８が塞がれている。
【００５６】
第１不燃材１０１は、溝部９７の開放側で孔部９６の内周面に密着して設けられている。詳しくは、第１不燃材１０１は、溝部９７の開放側で当該溝部９７の上下方向全域に亘り孔部９６の内周面に密着している。また、第１不燃材１０２は、溝部９８の開放側で孔部９６の内周面に密着して設けられている。詳しくは、第１不燃材１０２は、溝部９８の開放側で当該溝部９８の上下方向全域に亘り孔部９６の内周面に密着している。
【００５７】
また、上記挿通部位Ｌには、上梁５３Ｂの外周面と孔部９６の内周面との間の隙間に第２不燃材１０５が設けられている。第２不燃材１０５は不燃性を有する不定形シールよりなる。第２不燃材１０５は、上梁５３Ｂの上フランジ５３ｂと孔部９６の内周面との隙間１０６全域に充填され、かつ、下フランジ５３ｃと孔部９６の内周面との隙間１０７全域に充填されている。これにより、挿通部位Ｌでは、各隙間１０６，１０７が第２不燃材１０５により塞がれている。
【００５８】
このように、挿通部位Ｌでは、孔部９６における上梁５３Ｂの内外全域（換言すると上梁５３Ｂが存在していない領域全体）が第１不燃材１０１，１０２及び第２不燃材１０５により塞がれた状態となっている。
【００５９】
以上、詳述した本実施形態の構成によれば、以下の優れた効果が得られる。
【００６０】
筋交い８１（長尺材に相当）が石膏ボード６２の孔部８６に挿通される挿通部位Ｋにおいて、筋交い８１の溝部８７を塞ぐ第１不燃材８８を設け、かつ筋交い８１の外周面と孔部８６の内周面との隙間９１を塞ぐ第２不燃材９２を設けた。この場合、それらの不燃材８８，９２により筋交い８１の内外の空間が共に塞がれるため、筋交い８１が石膏ボード６２を貫通する構成にあって、耐火性能を好適に確保することができる。
【００６１】
上梁５３Ｂ（長尺材に相当）が石膏ボード６２の孔部９６に挿通される挿通部位Ｌにおいて、上梁５３Ｂの溝部９７，９８を塞ぐ第１不燃材１０１，１０２を設け、かつ上梁５３Ｂの外周面と孔部９６の内周面との隙間１０６，１０７を塞ぐ第２不燃材１０５を設けた。この場合、それらの不燃材１０１，１０２，１０５により上梁５３Ｂの内外の空間が共に塞がれるため、上梁５３Ｂが石膏ボード６２を貫通する構成にあって、耐火性能を好適に確保することができる。
【００６２】
第２不燃材９２（１０５）として不定形シールを用いたため、長尺材８１（５３Ｂ）の外周面と孔部８６（９６）の内周面との隙間９１（１０６，１０７）を埋めるにあたってその作業をし易くすることができる。また、上記隙間９１（１０６，１０７）の大きさは、孔部８６（９６）の加工精度等によりばらつくことが想定されるが、その場合にも、第２不燃材９２（１０５）として不定形シールを用いれば隙間９１（１０６，１０７）を確実に埋めることができ、耐火性能を確保できる。
【００６３】
また、筋交い８１については孔部８６において斜めに挿通されることになるため、筋交い８１の外周面と孔部８６の内周面との隙間９１の大きさは石膏ボード６２の厚み方向に変化することになる。このため、例えば第２不燃材としてシート状の不燃材を用いた場合、隙間９１を上手く塞ぐことができないおそれがある。その点、かかる隙間９１を塞ぐにあたり不定形シールよりなる第２不燃材９２を用いたため、かかる構成にあっても隙間９１を好適に塞ぐことができる。
【００６４】
屋根パネル４３を支持する束５１の一部が屋根裏界壁２５の対向する各石膏ボード６２，６３の間に配設され、かつ、その配設された束５１Ａと屋根裏界壁２５の外に配置された束５１Ｂとが筋交い８１を介して互いに連結される構成では、筋交い８１が石膏ボード６２を貫通した状態で設けられることになる。その点、上記の実施形態では、かかる構成に上述した不燃材を用いた耐火構造を適用しているため、かかる構成にあっても耐火性能を確保することができる。
【００６５】
上梁５３Ｂの溝部９７，９８に配設した第１不燃材１０１，１０２を溝部９７，９８の開放側で孔部９６の内周面に密着させて配置した。この場合、溝部９７，９８の開放側において第１不燃材１０１，１０２と孔部９６の内周面との間に別途不燃材（例えば第２不燃材１０５）を介在させなくても済むため、孔部９６を不燃材で埋める作業を容易とすることが可能となる。
【００６６】
特に、上梁５３Ｂの各溝部９７，９８の開放側で第１不燃材１０１，１０２を孔部９６の内周面に密着させたため、各溝部９７，９８の開放側ではいずれも別途不燃材（例えば第２不燃材）を設ける必要がない。このため、上梁５３Ｂの外周側においては、第２不燃材１０５を上梁５３Ｂの上フランジ５３ｂと孔部９６の内周面との隙間１０６、及び下フランジ５３ｃと孔部９６の内周面との隙間１０７にそれぞれ配設するだけで済む。この場合、Ｈ形鋼からなる上梁５３Ｂが孔部９６に挿通される構成にあって、孔部９６を不燃材で埋める作業を大いに容易にすることが可能となる。
【００６７】
本発明は上記実施形態に限らず、例えば次のように実施されてもよい。
【００６８】
（１）上記実施形態では、上梁５３Ｂの各溝部９７，９８に配設された第１不燃材１０１，１０２を溝部９７，９８の開放側で孔部９６の内周面に密着させたが、これを変更して密着させないようにしてもよい。その場合、第１不燃材１０１と孔部９６の内周面との間、及び第１不燃材１０２と孔部９６の内周面との間をそれぞれ第２不燃材１０５等、別の不燃材で塞げばよい。
【００６９】
（２）上記実施形態では、第１不燃材８８，１０１，１０２としてグラスウールを用いたが、ロックウール等、他の不燃材を用いてもよい。
【００７０】
（３）上記実施形態では、第２不燃材９２，１０５として不定形シール材を用いたが、第２不燃材９２，１０５としては必ずしもかかるシール材を用いる必要はない。例えば、第２不燃材として、グラスウール等の不燃材料によりシート状に形成された不燃シートを用いてもよい。その場合、その不燃シートを長尺材８１（５３Ｂ）の外周面と孔部８６（９６）の内周面との間に介在させることで、それら両者間の隙間９１（１０６，１０７）を同シートにより塞げばよい。
【００７１】
ちなみに、第２不燃材９２，１０５は二枚重ねの各石膏ボード６２のそれぞれに形成された孔部８６，９６の両方に充填してもよいし、一方にのみ充填してもよい。一方にのみ充填する場合、屋根裏空間２２側の石膏ボード６２の孔部８６，９６に充填することが考えられる。
【００７２】
（４）ところで、屋根裏隔壁３９は、屋根裏界壁２５と同様、石膏ボードを有して構成されることが考えられる。その場合、その屋根裏隔壁３９の石膏ボードを貫通して長尺材が設けられることも考えられる。そこで、そのような場合に、本発明の耐火構造をかかる屋根裏隔壁３９に適用してもよい。その場合、屋根裏隔壁３９における耐火性能についても確保することができる。
【００７３】
（５）上記実施形態では、スチールハウスの建物への適用例を説明したが、鉄骨軸組工法により構築される建物や、在来木造工法により構築される建物等、他の構造の建物に本発明を適用してもよい。
【符号の説明】
【００７４】
１０…建物、１３…屋根部、２５…屋根裏界壁、４３…屋根パネル、５１…束、５１Ａ…束、５１Ｂ…束、５３Ｂ…長尺材としての上梁、６２…壁面材としての石膏ボード、６３…壁面材としての石膏ボード、８１…長尺材及び斜め材としての筋交い、８６…孔部、８７…溝部、８８…第１不燃材、９１…隙間、９２…第２不燃材、９６…孔部、９７…溝部、９８…溝部、１０１…第１不燃材、１０２…第１不燃材、１０５…第２不燃材、１０６…隙間、１０７…隙間、Ｋ…挿通部位、Ｌ…挿通部位。
【図１】
0006684069.tif 000002
【図２】
0006684069.tif 000003
【図３】
0006684069.tif 000004
【図４】
0006684069.tif 000005
【図５】
0006684069.tif 000006
【図６】
0006684069.tif 000007
【図７】
0006684069.tif 000008
【図８】
0006684069.tif 000009
【図９】
0006684069.tif 000010
【図１０】
0006684069.tif 000011